【手続補正書】
【提出日】平成28年4月6日(2016.4.6)
【手続補正１】
【補正対象書類名】明細書
【補正対象項目名】０００７
【補正方法】変更
【補正の内容】
【０００７】
前記課題を解決するために、本発明のネイルプリント装置は、
幅方向に沿って中央部が両端側より盛り上がった湾曲形状を有する、指の爪の表面を印刷対象面とし、該印刷対象面に描画を施す印刷ヘッドと、
前記印刷ヘッドの前記印刷対象面に対する角度を調整する角度調整部と、
を備え、
前記角度調整部は、
前記印刷ヘッドが前記印刷対象面の前記幅方向の両端部側の領域に描画を施すときに前記角度を調整して、前記印刷対象面の前記幅方向に対する前記印刷ヘッドの角度を、前記印刷ヘッドが前記印刷対象面の幅方向の中央部に描画するときの前記印刷ヘッドの、前記印刷対象面の前記幅方向に対する角度に近づけ、
前記印刷ヘッドが前記印刷対象面の前記両端部側の領域を除く領域に描画を施すときに前記角度の調整を行わないことを特徴としている。
【手続補正２】
【補正対象書類名】明細書
【補正対象項目名】０００８
【補正方法】変更
【補正の内容】
【０００８】
また、本発明のネイルプリント装置の印刷方法は、
ネイルプリント装置の印刷方法において、
前記ネイルプリント装置は、幅方向に沿って中央部が両端側より盛り上がった湾曲形状を有する、指の爪を印刷対象面とし、前記印刷対象面に描画を施す印刷ヘッドと、前記印刷ヘッドの前記印刷対象面に対する角度を調整する角度調整部と、を備え、
前記印刷ヘッドを前記印刷対象面に対して移動させて、該印刷対象面に描画を施し、
前記印刷ヘッドが前記印刷対象面の前記幅方向の両端部側の領域に描画を施すときに、前記角度調整部により前記角度を調整して、前記印刷対象面の前記幅方向に対する前記印刷ヘッドの角度を、前記印刷ヘッドが前記印刷対象面の幅方向の中央部に描画するときの前記印刷ヘッドの、前記印刷対象面の前記幅方向に対する角度に近づけるように調整し、
前記印刷ヘッドが前記印刷対象面の前記両端部側の領域を除く領域に描画を施すときに、前記角度調整部による前記角度の調整を行わないことを特徴としている。
【手続補正３】
【補正対象書類名】特許請求の範囲
【補正対象項目名】全文
【補正方法】変更
【補正の内容】
【特許請求の範囲】
【請求項１】
幅方向に沿って中央部が両端側より盛り上がった湾曲形状を有する、指の爪の表面を印刷対象面とし、該印刷対象面に描画を施す印刷ヘッドと、
前記印刷ヘッドの前記印刷対象面に対する角度を調整する角度調整部と、
を備え、
前記角度調整部は、
前記印刷ヘッドが前記印刷対象面の前記幅方向の両端部側の領域に描画を施すときに前記角度を調整して、前記印刷対象面の前記幅方向に対する前記印刷ヘッドの角度を、前記印刷ヘッドが前記印刷対象面の幅方向の中央部に描画するときの前記印刷ヘッドの、前記印刷対象面の前記幅方向に対する角度に近づけ、
前記印刷ヘッドが前記印刷対象面の前記両端部側の領域を除く領域に描画を施すときに前記角度の調整を行わないことを特徴とするネイルプリント装置。
【請求項２】
前記角度調整部は、前記印刷ヘッドが前記印刷対象面の幅方向の中央部に描画するときに前記角度を第１の値に設定し、前記印刷ヘッドが前記印刷対象面の前記幅方向の両端部側の領域に描画を施すときに、前記角度を前記第１の値と異なる第２の値に設定することを特徴とする請求項１に記載のネイルプリント装置。
【請求項３】
前記角度の前記第２の値は、前記印刷対象面の湾曲形状に応じて設定されることを特徴とする請求項２に記載のネイルプリント装置。
【請求項４】
前記印刷対象面とする爪を有する指が載置される載置面を有する指載置部と、前記印刷ヘッドが前記描画を施す際に、前記印刷ヘッドを前記載置面に沿って移動させる駆動部と、を有し、
前記駆動部は、前記角度調整部が前記角度を調整したとき、前記角度の調整による前記印刷ヘッドが前記印刷対象面に描画する描画位置のずれを相殺させる位置に、前記印刷ヘッドの位置を移動させることを特徴とする請求項１から請求項３のいずれか一項に記載のネイルプリント装置。
【請求項５】
前記印刷対象面に描画される画像が一体として描かれる特定の絵柄を含み、該特定の絵柄が描画される前記印刷対象面の領域が、前記両端側の領域とそれ以外の領域とを含んでいるときには、前記角度調整部は、前記印刷ヘッドによる前記特定の絵柄の描画の開始から終了までの間に亘って前記印刷ヘッドの前記角度を調整することを特徴とする請求項１から請求項４のいずれか一項に記載のネイルプリント装置。
【請求項６】
前記印刷対象面の前記幅方向の両端部側の領域は第１領域と第２領域とを有し、
前記第１領域は、前記爪の前記幅方向の中心を通る中心線から前記湾曲形状に応じて前記幅方向の一端側にずれた位置に、前記爪の長さ方向に沿って設けられた第１境界線と前記爪の表面の前記一端側の縁とで囲まれた領域であり、
前記第２領域は、前記中心線から前記湾曲形状に応じて前記幅方向の他端側にずれた位置に、前記爪の長さ方向に沿って設けられた第２境界線と前記爪の表面の前記他端側の縁とで囲まれた領域であることを特徴とする請求項１から請求項４のいずれか１項に記載のネイルプリント装置。
【請求項７】
更に、前記爪の表面の前記幅方向の傾斜角度を検出する傾斜角度検出部を有し、
前記第１境界線及び前記第２境界線は、前記傾斜角度検出部で検出された前記傾斜角度の値が所定の閾値である箇所に設けられることを特徴とする請求項６に記載のネイルプリント装置。
【請求項８】
前記印刷ヘッドは、先端部が前記爪の表面に接触して前記描画を施す描画用具を備えていることを特徴とする請求項１から請求項７のいずれか一項に記載のネイルプリント装置。
【請求項９】
ネイルプリント装置の印刷方法において、
前記ネイルプリント装置は、幅方向に沿って中央部が両端側より盛り上がった湾曲形状を有する、指の爪を印刷対象面とし、前記印刷対象面に描画を施す印刷ヘッドと、前記印刷ヘッドの前記印刷対象面に対する角度を調整する角度調整部と、を備え、
前記印刷ヘッドを前記印刷対象面に対して移動させて、該印刷対象面に描画を施し、
前記印刷ヘッドが前記印刷対象面の前記幅方向の両端部側の領域に描画を施すときに、前記角度調整部により前記角度を調整して、前記印刷対象面の前記幅方向に対する前記印刷ヘッドの角度を、前記印刷ヘッドが前記印刷対象面の幅方向の中央部に描画するときの前記印刷ヘッドの、前記印刷対象面の前記幅方向に対する角度に近づけるように調整し、
前記印刷ヘッドが前記印刷対象面の前記両端部側の領域を除く領域に描画を施すときに、前記角度調整部による前記角度の調整を行わないことを特徴とするネイルプリント装置の印刷方法。
【請求項１０】
前記角度調整部は、前記印刷ヘッドが前記印刷対象面の幅方向の中央部に描画するときに前記角度を第１の値に設定し、前記印刷ヘッドが前記印刷対象面の前記幅方向の両端部側の領域に描画を施すときに、前記角度を前記第１の値と異なる第２の値に設定し、前記第２の値は、前記印刷対象面の湾曲形状に応じて設定されることを特徴とする請求項９に記載のネイルプリント装置の印刷方法。
【請求項１１】
前記ネイルプリント装置は、前記印刷対象面とする爪を有する指が載置される載置面を有する指載置部と、前記印刷ヘッドが前記描画を施す際に、前記印刷ヘッドを前記載置面に沿って移動させる駆動部と、を有し、
前記角度調整部が前記角度を調整したとき、前記駆動部により、前記角度の調整による前記印刷ヘッドが前記印刷対象面に描画する描画位置のずれを相殺させる位置に、前記印刷ヘッドの位置を移動させることを特徴とする請求項９又は請求項１０に記載のネイルプリント装置の印刷方法。
【請求項１２】
前記印刷対象面に描画する画像が一体として描かれる特定の絵柄を含み、該特定の絵柄が描画される前記印刷対象面の領域が、前記両端部側の領域とそれ以外の領域とを含んでいるときには、前記印刷ヘッドが前記特定の絵柄の描画を開始してから終了するまでの間に亘って、前記角度調整部により前記印刷ヘッドの前記角度を調整することを特徴とする請求項９から請求項１１のいずれか一項に記載のネイルプリント装置の印刷方法。
【請求項１３】
前記ネイルプリント装置は、前記爪の表面の前記幅方向の傾斜角度を検出する傾斜角度検出部を有し、
前記印刷対象面の前記幅方向の両端部側の領域を、前記傾斜角度検出部で検出された前記傾斜角度の値が所定の閾値以上である領域に設定することを特徴とする請求項９から請求項１２のいずれか一項に記載のネイルプリント装置の印刷方法。